(57)【要約】      （修正有）【課題】流水プール等の吸排水口周囲に設置し、防水堤内側の排水を簡単に行うことで救助活動を容易にするための携帯型簡易防水堤を提供する。【解決手段】長方形の支持体である強化ビニールシートに、支柱パイプを当該シートに添って縦に挿入することができる支柱袋を一定間隔で設け、更には、支持体を立体的に形成するための別備え横型枠を固定するためのマジックテープ（登録商標）を支柱袋の上、中、下と三箇所に一体的に設置し、当該支柱袋に軽量で強度のある材質で作った支柱パイプ及び横型枠を挿入又は設置することで、立体的な形成と一定の強度を確保することを特徴とした。【選択図】図１
0003129711.tif 000002
【実用新案登録請求の範囲】
【請求項１】
長さ１０ｍ、幅１，５ｍ程度の長方形をした防水性のある強化ビニールシートに、簡単に設置することができる支柱袋とマジックテープを一体的に設け、塩化ビニール製又はステンレス製等軽量で強度のある材質で作った支柱及び横型枠又は円筒型枠を、数人の徒手搬送により現場に持ち込み、地上部分で組み立てた防水堤を、内壁側面に吸排水口がある流水プール又は底部に吸排水口があるプールに投入設置することで、水中の吸排水口周辺に簡単に隔壁を作り、その隔壁内側の水を排水ポンプ等で抜くことで、防水堤の内側に作業スペースを確保することを目的とした携帯型簡易防水堤である。
【考案の詳細な説明】
【技術分野】
【０００１】  本考案は、プール等の吸排水口の周囲に設置する携帯型の軽量で簡易な防水堤で、陸上で組み立てた携帯型簡易防水堤を水中に投入することで隔壁を作り、その隔壁で仕切られた防水堤内側の水を排水する、ケーソンによる潜函工法又は井筒による沈設工法の応用に関する。
【背景技術】
【０００２】  ケーソンによる潜函工法又は井筒による沈設工法は、重機を使用しコンクリート又は鉄板で作られた隔壁で覆われた内部を掘削する大規模な工事のための技術であるのに対し、本考案の技術背景が、プールでの救助活動にあることから、携帯が可能であり、しかも小型、軽量、更には、取り扱いが容易な防水性のある強化ビニールシートで作られたものが必要になった。【０００３】  プール等の救助救出にあたっては、通常、大容量の水を全て排水し又は地中埋設配水管、施設本体の一部又はその他の工作物を破壊して救助救出することが一般的であるが、簡易に防水堤で隔壁を作ることで、その内側の水のみを排出して救助する方法を考案する者がいなかった。【０００４】  携帯型簡易防水堤は製作費も安く、小型、軽量で持ち運びも容易であり、全国で展開している比較的小規模な消防本部においても取り扱うことが可能である。【０００５】  設置した携帯型簡易防水堤で仕切られた内側の水を排出してから救助活動に入るため、防水堤の内部では陸上用の救助資機材も使用できる。
【特許文献】  第３０３８８２６号
【特許文献】  公開実用新案  昭５６−９１７４７
【特許文献】  公開実用新案  昭５５−１３６８４３
【特許文献】  特開  ２００５−１２７００６
【特許文献】  特開平１０−２８０４３５
【考案の開示】
【考案が解決しようとする課題】
【０００６】  プール等の吸排水口の救助活動にあたり、プール全体の排水に要する時間を大幅に短縮し、更には、地中埋設配水管、施設の一部又はその他の工作物を破壊することによる、施設関係者等に対する経済負担の軽減を図ることができる。【０００７】  製作費も安く、小型、軽量で持ち運びにも便利であることから、比較的小規模な消防本部でも、吸排水口からの救助用の防水堤として備蓄することも可能であり、取り扱いの面からも、迅速、的確かつ少ない人員で組み立てられ、消防ポンプによる排水等、消防部隊としての一体的な活動が容易になる。【０００８】  携帯型簡易防水堤を使用して防水堤内側の排水作業が終了した後は、陸上用の救助資機材を使用することができる。
【課題を解決するための手段】
【０００９】  本考案は、長さ１０ｍ、幅１，５ｍ程度の長方形をした防水性のある強化ビニールシートに、簡単に組み立てることができる支柱袋とマジックテープを一体的に設け、塩化ビニール製又はステンレス製等軽量で弾力性のある材質で作った支柱及び横型枠又は円筒型枠を、防水堤本体に簡単にはめ込みマジックテープで固定する。【００１０】  携帯型簡易防水堤の組み立ては、防水堤の支柱袋に支柱を差し込み、横型枠又は円筒型枠を必要な作業スペースに応じた大きさ又は形状に接続し、防水堤の支柱袋の内側にはめ込み、マジックテープで固定することで防水堤そのものを形成すると共に、水圧による変形等を防止するため耐水パイプを設置する。【００１１】  組み立てた携帯型簡易防水堤を水中に投入する際は、内壁側面に吸水口がある場合は吸水口を囲むように半円形に、底部に吸排水口がある場合は吸排水口を中心にして円形に囲むように沈める。【００１２】  水に沈めた携帯型簡易防水堤の内側の水を排水するため、消防ポンプ等による吸水及び排水を行い、防水堤内側に救助活動スペースを設定すると共に、防水堤底部及び両端部分のゴム又はウレタンの袖及びスカート、更には、防水堤外の水圧により漏水を防ぐ。
【考案の効果】
【００１３】  携帯型簡易防水堤の搬送が容易にでき、少ない人員でしかも地上部分で簡単に組み立てられると共に、防水堤を吸排水口のある壁面又は床面の吸排水口を中心とした水中に沈めることで、防水堤内側の排水作業が短時間でしかも容易にできる。【００１４】  携帯型簡易防水堤内側の排水が容易にできることから、救助作業が格段に早くなり、救命効率が向上する等十分な効果を発揮することができ、更には、救助救出に伴う施設破壊もないことから、当該施設関係者等に対する経済負担の軽減を図ることもできる。
【考案の実施するための最良の形態】
【００１５】以下、本考案の実施形態を図１〜図４に基づいて説明する。
【００１６】図１は、携帯型簡易防水提表の構造を立面で示している。１は携帯型簡易防水堤本体で、防水性と強度のあるビニール製。２は防水堤本体に接着している支柱パイプを通すための支柱袋。３は水位に応じてチャック又はマジックテープで脱着、調整することができる補充用の防水堤補充シート。４は防水堤本体両端からの漏水を防止するためのゴム又はウレタン製の袖。５は防水堤本体の底部からの漏水を防止するためのゴム又はウレタン製のエプロン。６は排水用の吸水管又はロープ等で本体を固定するために使用する支援孔。７は防水堤シートを円筒形に形成する場合に使用する両端部分の接合マジックテープ。８は吸水管等を固定するためのロープ。
【００１７】図２は、携帯型簡易防水堤裏の構造を立面で示している。９は横型枠を支柱袋に固定するためのマジックテープ。１０は横型枠の大小に応じて防止堤本体の長さを調整するための調整マジックテープ。２は図１の２と同じ支柱袋。
【００１８】  図３は、携帯型簡易防水堤の支柱及び横型枠を示している。１１は図１の２の支柱袋に挿入する塩化ビニール製支柱の平面及び立面図。１２は横型枠用の塩化ビニールパイプ又はステンレス製等で作った横型枠の平面及び立面図。１３は１２の横型枠を接続する摘み付きナット及びボルト。
【００１９】  図４は携帯型簡易防水堤を円筒形に形成する場合の円筒型枠を示している。１４は大きい円形を形成する場合のステンレス製等の円筒型枠。１５は小さめの円形を形成する場合のステンレス製等の円筒型枠。１６は１４及び１５の円筒型枠端部を接合するフック。
【図面の簡単な説明】
【００２０】
【図１】本考案の実施形態を示す携帯型簡易防水堤本体の表立面
【図２】本考案の実施形態を示す携帯型簡易防水堤本体の裏立面
【図３】本考案を自立させるための支柱及び横型枠の平面及び立面図
【図４】本考案のステンレス製の円筒型枠の平面及び立面図
【符号の説明】
【００２１】      １    携帯型簡易防水堤の本体
２    支柱袋
３    補充シート
４    防水袖
５    防水エプロン
６    支援孔
７    接続テープ
８    吸水管固定ロープ
９    固定テープ
１０  シート調整テープ
１１  支柱パイプ
１２  横型枠
１３  結合ネジ
１４  耐水パイプ
１５  小型円筒型枠
１６  接合フック
１７  大型円筒型枠
【００２２】  本考案の実施形態の図１〜図４に基づき試作した模型を写真で説明する。
【００２３】  写真１は携帯型簡易防水堤を壁面に吸排水口があるプールに設置した場合の状況。Ａは壁面に設置された吸排水口の周囲に防水堤を設置した状況。Ｂは消防ポンプの吸水管で防水堤内側の水を吸水して排水している状況。Ｃはプールの水中部分で防水堤外側を示している。Ｄは壁面に設置された吸排水口を示している。
【００２４】  写真２は携帯型簡易防水堤を床面に吸排水口があるプールに設置した場合の状況。
Ｅは床面に設置された吸排水口の周囲に防水堤を設置した状況。Ａは写真１のＡと同じ消防ポンプの吸水管。Ｂは写真１のＢと同じプールの防水堤外側を示している。Ｆは床面に設置された吸排水口を示している。
【写真の簡単な説明】
【００２５】
【写真１】
本考案の実施形態を示す携帯型簡易防水堤試作模型１の写真
【写真２】
本考案の実施形態を示す携帯型簡易防水堤試作模型２の写真
【符号の説明】
【００２６】      Ａ    壁面に設置された携帯型簡易防水堤
Ｂ    吸水管での排水状況
Ｃ    プール水中の防水堤外側
Ｄ    壁面吸排水口
Ｅ    床面に設置された携帯型簡易防水堤
Ｆ    床面吸排水口
【図１】
0003129711.tif 000003
【図２】
0003129711.tif 000004
【図３】
0003129711.tif 000005
【図４】
0003129711.tif 000006
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
長方形の支持体である強化ビニールシートに、支柱パイプを当該シートに添って縦に挿入することができる支柱袋を一定間隔で設け、更には、支持体を立体的に形成するための別備え横型枠を固定するためのマジックテープ（登録商標）を支柱袋の上、中、下と三箇所に一体的に設置し、当該支柱袋に軽量で強度のある材質で作った支柱パイプ及び横型枠を挿入又は設置することで、立体的な形成と一定の強度を確保することを特徴とした、長さ１０ｍ、幅１．５ｍ程度で、長さ、幅とも調整可能な長方形をした防水性のある強化ビニールシート。
【手続補正２】
【補正対象書類名】明細書
【補正対象項目名】０００９
【補正方法】変更
【補正の内容】
【０００９】本考案は、長さ１０ｍ、幅１．５ｍ程度の長方形をした防水性のある強化ビニールシートに、簡単に設置することができる支柱袋とマジックテープ（登録商標）を一体的に設け、塩化ビニール製又はステンレス製等軽量で強度のある材質で作った支柱及び横型枠又は円筒型枠を、防水堤本体に簡単にはめ込みマジックテープ（登録商標）で固定する。
【手続補正３】
【補正対象書類名】明細書
【補正対象項目名】００１０
【補正方法】変更
【補正の内容】
【００１０】携帯型簡易防水堤の組み立ては、防水堤の支柱袋に支柱を差し込み、横型枠又は円筒型枠を必要な作業スペースに応じた大きさ又は形状に接続し、防水堤の支柱袋の内側にはめ込み、マジックテープ（登録商標）で固定することで防水堤そのものを形成すると共に、水圧による変形等を防止するため耐水パイプを設置する。
【手続補正４】
【補正対象書類名】明細書
【補正対象項目名】００１６
【補正方法】変更
【補正の内容】
【００１６】図１は、携帯型簡易防水提表の構造を立面で示している。１は携帯型簡易防水堤本体で、防水性と強度のあるビニール製。２は防水堤本体に接着している支柱パイプを通すための支柱袋。３は水位に応じてチャック又はマジックテープ（登録商標）で脱着、調整することができる補充用の防水堤補充シート。４は防水堤本体両端からの漏水を防止するためのゴム又はウレタン製の袖。５は防水堤本体の底部からの漏水を防止するためのゴム又はウレタン製のエプロン。６は排水用の吸水管又はロープ等で本体を固定するために使用する支援孔。７は防水堤シートの大きさを調整するためのシート本体の山折、谷折をした部分。８は吸水管等を固定するためのロープ。
【手続補正５】
【補正対象書類名】明細書
【補正対象項目名】００１７
【補正方法】変更
【補正の内容】
【００１７】図２は、携帯型簡易防水堤裏の構造を立面で示している。９は横型枠を支柱袋に固定するためのマジックテープ（登録商標）。１０は横型枠の大小に応じて防止堤本体の長さを調整するための調整マジックテープ（登録商標）。２は図１の２と同じ支柱袋。
【手続補正６】
【補正対象書類名】明細書
【補正対象項目名】００２１
【補正方法】変更
【補正の内容】
【００２１】  １  携帯型簡易防水堤の本体
２  支柱袋
３  補充シート
４  防水袖
５  防水エプロン
６  支援孔
７  本体調整シート
８  吸水管固定ロープ
９  固定テープ
１０  シート調整テープ
１１  支柱パイプ
１２  横型枠
１３  結合ネジ
１４  耐水パイプ
１５  小型円筒型枠
１６  接合フック
１７  大型円筒型枠
【手続補正７】
【補正対象書類名】図面
【補正対象項目名】全図
【補正方法】変更
【補正の内容】
【図１】
0003129711.tif 000007
【図２】
0003129711.tif 000008
【図３】
0003129711.tif 000009
【図４】
0003129711.tif 000010